(57)【要約】【課題】近距離無線通信により錠を解錠する鍵システムを提供。【解決手段】ドア12に設置された錠装置14と鍵装置16とにはそれぞれ、互いの装置に設定されているBluetooth（商標）アドレスと、互いの装置に共通なPINコードとがそれぞれ設定装置20により登録され、鍵装置16に配置されたPage釦18が押下されると近距離無線通信技術を利用して、BluetoothアドレスとPINコードとが鍵情報として鍵装置16から錠装置14に送信され、錠装置14にて接続認証が成立すると鍵装置14はドア12の施錠を解錠する。【選択図】図１
2005240492.tif 000002
【特許請求の範囲】
【請求項１】
無線通信を利用して所定の構造物に対する施錠を解錠する鍵システムにおいて、該システムは、
前記所定の構造物を施錠する錠装置と、
該錠装置による施錠を近距離無線通信により解錠させる鍵装置とを含み、
前記錠装置は、前記鍵装置と近距離無線通信を行う第１の通信手段を含み、
前記鍵装置は、前記錠装置を解錠するための鍵情報を前記近距離無線通信にて前記錠装置に送信する第２の通信手段を含み、
前記錠装置は、前記鍵装置からの前記鍵情報に基づいて接続認証して、該接続認証が成立すると前記所定の構造物を解錠することを特徴とする鍵システム。
【請求項２】
請求項１に記載の鍵システムにおいて、前記第１の通信手段には、固有に割り当てられた第１の固有情報が設定され、前記第２の通信手段には、固有に割り当てられた第２の固有情報が設定され、
前記第１および第２の通信手段は、前記第２および第１の固有情報を互いに保持し、
前記錠装置は、前記第２の通信手段の第２の固有情報を前記鍵情報として受信して、該鍵情報に基づいて前記鍵装置に対する接続認証を行うことを特徴とする鍵システム。
【請求項３】
請求項２に記載の鍵システムにおいて、前記錠装置および前記鍵装置は、それぞれ共通のコードを登録する第１および第２の記憶手段を有し、
前記鍵装置は、前記第２の固有情報と前記共通のコードとを前記鍵情報として送信し、
前記錠装置は、前記鍵情報を受信して、該鍵情報に基づいて前記鍵装置に対する接続認証を行うことを特徴とする鍵システム。
【請求項４】
請求項３に記載の鍵システムにおいて、前記錠装置および前記鍵装置は、それぞれ、前記鍵情報を他の装置から入力して初期設定するための第１および第２の入力手段を含むことを特徴とする鍵システム。
【請求項５】
請求項１に記載の鍵システムにおいて、前記鍵装置は、前記錠装置に対する呼出を開始するための操作釦を備えることを特徴とする鍵システム。
【請求項６】
請求項１に記載の鍵システムにおいて、該システムは、前記錠装置と連携して動作する連携装置を含み、
該連携装置は、前記錠装置と近距離無線通信を行う第３の通信手段を含み、
前記錠装置は、前記鍵装置を接続認証して該接続認証が成立すると、前記連携装置の動作を制御する制御情報を前記連携装置に送信し、
前記連携装置は、前記錠装置からの制御情報に応じて動作することを特徴とする鍵システム。
【発明の詳細な説明】
【技術分野】
【０００１】
本発明は、無線通信により錠を解錠する鍵システムに係り、とくに近距離無線通信技術を利用して制御する鍵システムに関するものである。
【背景技術】
【０００２】
従来、ドア等に組み込まれた錠を施錠したり解錠したりする鍵として、たとえば金属製の鍵やカードキーなどがあった。ドア側には、たとえばシリンダ錠が備えられ、シリンダ錠に個別に対応する形状の金属製鍵が、人手によってシリンダ錠に挿入されて回転することにより施錠および解錠が行われる。
【０００３】
ホテル等では、居室のドアを施錠および解錠する鍵をフロントにて受け渡しすることにより、部屋の利用を可能とするとともに、フロント側における鍵の有無に基づいて部屋の在室および不在を推定することができた。また、ホテル等の部屋では、カードキーを室内に設置された所定の装置にセットすることにより、たとえば室内の電気ブレーカをオンさせることができた。
【０００４】
【特許文献１】特開２００１−１９３３２４号公報
【特許文献２】特開２００２−３３９６５４号公報
【発明の開示】
【発明が解決しようとする課題】
【０００５】
しかしながら、これらの鍵は、金属加工によりその複製が作られるという問題があり、また、鍵を紛失した場合には、ドア側のシリンダ錠も交換しなくてはならないという問題があった。また、ホテル等では、宿泊客がホテル外に鍵を持ち出すことも可能であり、宿泊客の在室および不在をフロントにて正確に把握することができなかった。さらにカードキーを使用するホテル等の部屋では、電気ブレーカをオンさせるためには、カードキーを所定の装置に必ずセットしなければならず、使い勝手が良好ではなかった。
【０００６】
また、鍵は、外出時にその鍵機能を有する単体の物として持ち歩く必要があった。居室からの外出の際には、とくにオートロック機能を有するドアの場合で、居室が不在になる場合にともに居室から持ち出さなくてはならないという問題があった。また、部屋および家から外出する際に、他の出入り口や窓等を閉め切って不在となる空間を戸締まりするとともに、室内の火の元の安全を確認したり、不用照明を消灯させたりするなどの行動をとる必要があった。
【０００７】
本発明はこのような従来技術の欠点を解消し、無線通信技術を利用した鍵システムを提供することを目的とする。
【課題を解決するための手段】
【０００８】
本発明は上述の課題を解決するために、無線通信を利用して所定の構造物に対する施錠を解錠する鍵システムにおいて、このシステムは、所定の構造物を施錠する錠装置と、錠装置による施錠を近距離無線通信により解錠させる鍵装置とを含み、錠装置は、鍵装置と近距離無線通信を行う第１の通信手段を含み、鍵装置は、錠装置を解錠するための鍵情報を近距離無線通にて記錠装置に送信する第２の通信手段を含み、錠装置は、鍵装置からの鍵情報に基づいて接続認証して、接続認証が成立すると所定の構造物を解錠することを特徴とする。
【０００９】
この場合、第１の通信手段には、固有に割り当てられた第１の固有情報が設定され、第２の通信手段には、固有に割り当てられた第２の固有情報が設定され、第１および第２の通信手段は、第２および第１の固有情報を互いに保持し、錠装置は、第２の通信手段の第２の固有情報を鍵情報として受信して、鍵情報に基づいて鍵装置に対する接続認証を行うとよい。この場合、さらに錠装置および鍵装置は、それぞれ共通のコードを登録する第１および第２の記憶手段を有し、鍵装置は、第２の固有情報と共通のコードとを鍵情報として送信し、錠装置は、鍵情報を受信して、鍵情報に基づいて鍵装置に対する接続認証を行うとよい。さらに錠装置および鍵装置は、それぞれ、鍵情報を他の装置から入力して初期設定するための第１および第２の入力手段を含むとよい。
【００１０】
また、鍵装置は、錠装置に対する呼出を開始するための操作釦を備えるとよく、また、このシステムは、錠装置と連携して動作する連携装置を含み、連携装置は、錠装置と近距離無線通信を行う第３の通信手段を含み、錠装置は、鍵装置を接続認証して接続認証が成立すると連携装置の動作を制御する制御情報を連携装置に送信し、連携装置は、錠装置からの制御情報に応じて動作するとよい。
【発明の効果】
【００１１】
本発明によれば、近距離無線通信を使用して鍵装置が錠装置と通信リンクが形成され、構造物を施錠している錠装置を接続認証により自動的に解錠させることができる。また、錠装置と連携する連携装置の動作をも制御することができ、たとえば戸締まりや他の安全のための処理を自動的に行うことができる。また室内に入室する際に伴う他の機器への制御を自動的に連携して行うことができ、入退出時における手動による操作が省力可能となる。
【発明を実施するための最良の形態】
【００１２】
次に添付図面を参照して本発明による鍵システムの実施例を詳細に説明する。図１を参照すると、同図には本実施例における鍵システムの一構成例が示されている。図示するように鍵システム10は、居室等の空間とその外側とを開閉可能に仕切るドア12に錠装置14が備えられ、錠装置14と対応する鍵装置16とが協働してドア12を解錠および施錠するシステムである。なお、ドア12は、引き戸、門およびシャッタなど人間等が出入りする出入り口などに備えられる構造物でよく、錠装置14は、対応する鍵装置16と協働して、その構造物の開閉などの位置変化、つまり移動をロックして不能にし、またロックを解除して移動を可能とする。
【００１３】
鍵システム10は、錠装置14と鍵装置16とが近距離にて行われる無線通信により鍵情報を授受し、その錠装置14が鍵装置16からの鍵情報を認証すると解錠する。本実施例における鍵装置16には、鍵情報の送信を開始するPage（ページ）釦18が備えられており、Page釦18が押下されると、鍵装置16は鍵情報を送出する専用鍵である。本実施例における無線通信方式は、近距離無線通信技術であるたとえばBluetooth（商標）技術仕様に基づく通信技術が有利に適用される。
【００１４】
鍵システム10はさらに、これら錠装置14と鍵装置16とが設定装置(PC) 20に接続線22,24を介してそれぞれ接続される。設定装置(PC) 20は、解錠するための鍵情報を錠装置14と鍵装置16とにそれぞれ初期設定する。設定装置20は、パーソナルコンピュータ(PC)等に導入されるプログラムの処理により、互いの装置14,16のBluetoothアドレス(BD_ADDR)と、各装置14,16に共通のPINコード(Personal Identity Number Code(個人識別番号))とを鍵情報としてあらかじめ錠装置14および鍵装置16にそれぞれ初期設定する。鍵情報の初期設定が完了すると、設定装置20と錠装置14および鍵装置16との各有線接続22,24は切り離されて運用される。
【００１５】
錠装置14の内部構成例を図２に示す。錠装置14は、無線電波を送受信するアンテナ200と、アンテナ200に給電される2.4 [GHz]帯の受信信号を受信し、また送信信号をアンテナ200に送出するトランシーバ202と、トランシーバ202に接続され、送信信号および受信信号をそれぞれ処理するベースバンド回路204とを備えている。ベースバンド回路204は、さらにメモリ208と、鍵情報等の情報を入出力する入出力回路210と、ドア12を解錠および施錠するドアロック機構206とにそれぞれ接続されている。
【００１６】
トランシーバ202は、ベースバンド回路204から送出されて送信するベースバンド信号を周波数ホッピング型スペクトラム拡散方式および２値周波数変調方式の通信方式および変調方式にて無線信号に変換し、また無線信号を受信し、その受信信号を逆拡散によりベースバンド信号に復調する送受信回路である。トランシーバ202は、受信系に不図示のRF回路、IF回路および復調器を有し、送信系に不図示のパルス形成回路、混合器および電力増幅回路を有する。トランシーバ202は、１[mW]程度に電力増幅した送信信号をアンテナ200に出力する。
【００１７】
ベースバンド回路204は、送信する情報をベースバンド信号に変換してトランシーバ202に出力し、トランシーバ202から送出された受信信号から必要なデータを抽出するベースバンド処理回路である。ベースバンド回路204は、Bluetooth技術仕様に基づく通信制御を行うBluetoothコア214と、Bluetoothコア214にて処理される通信制御を状態管理するとともに、対応する鍵装置16から送出されて受信した受信信号に基づいてドアロック機構206を制御する制御回路(CPU) 216とを含む。
【００１８】
Bluetoothコア214は、ベースバンド層のデータ処理を行うために、特に図示はしないが送信系に誤り検出符号化回路と、送信情報を暗号化するスクランブル処理回路と、誤り訂正符号化回路とを含み、受信系に相関器と、誤り訂正回路と、逆スクランブル処理回路と、暗号解読回路と、誤り検出回路とを含む。
【００１９】
制御回路(CPU) 216は、ベースバンド回路204における制御系処理機能を有し、送信電力および送受信周波数をトランシーバ202に対して指定する機能と、データパケットのぺイロード部分を上位プロトコルに受け渡す機能とを有している。また、制御回路216は、Bluetoothモジュール214に対して固有に割り当てられた固有情報としてBluetoothアドレス(BD_ADDR)を記憶保持している。さらに制御回路216は、入出力回路210から供給される情報をメモリ208に格納し、メモリ208に格納されている情報を読み出す機能を有している。
【００２０】
具体的には、制御回路216は、鍵システム10を運用開始する際の初期設定時に、相手装置のBluetoothアドレス(BD_ADDR)を入出力回路210から入力し、メモリ208に格納させる登録機能を有する。また、制御回路216は、初期設定時に鍵装置16に設定するPINコードと同一のPINコードを入出力回路210を介して入力して設定し、PINコードをメモリ208に保存させる設定保存機能を有する。このように制御回路216は、あらかじめ互いの装置に固有なBluetoothアドレス(BD_ADDR)と、互いの装置にて同一のPINコードとを鍵情報として登録および保存する。入出力回路210は、接続端子212に接続線22を介して接続される設定装置20から供給される鍵情報を入力してベースバンド回路204に出力するインタフェース回路である。このインタフェースは設定装置20に備えられる汎用インタフェースに対応するインタフェースであるとよく、シリアル通信を行う場合、たとえばUSB(Universal Serial Bus)インタフェースやネットワークインタフェース等が適用される。
【００２１】
制御回路216は、Page_Scanモードにおける処理制御を行って、鍵装置16との無線接続により、鍵装置16に対する接続認証を行う機能を有する。本実施例におけるPage_Scanモードは、接続相手のBluetoothアドレス(BD_ADDR)を自装置に登録されているアドレスに限定して呼出しスキャン(Page_Scan)を行うモードである。接続認証処理の際に制御回路216は、鍵装置16に対する認証が成立したか否かを鍵装置16から送信される鍵情報に基づいて判定する。具体的には、制御回路216は、鍵装置16から送られた鍵情報のうちBluetoothアドレス(BD_ADDR)が、既に初期設定されているBluetoothアドレス(BD_ADDR)に一致する場合であって、鍵装置16から送られたPINコードが初期設定時に共通に設定保存したPINコードと一致する場合に、認証を成立させる判定を行う。認証が成立した場合には、制御回路216は、ペアリングを形成するとともにドアロック機構206におけるロックを解除する解除信号を生成し、ベースバンド回路204の出力として解除信号をドアロック機構206に送出する。
【００２２】
メモリ208には、本錠装置14に対する専用鍵として認証する鍵装置16のBluetoothアドレス(BD_ADDR)を格納する記憶領域と、互いの装置14,16にて共通に設定されるPINコードを格納する記憶領域とを有している。メモリ208にはさらに、接続認証に応じた制御内容を規定する手順等が格納されている。本実施例では、接続認証が成立すると、錠装置14のロックを解除するトリガとして解除信号を生成して出力する手順を記述したプログラムがメモリ208に蓄積されている。メモリ208は、EEPROMやフラッシュメモリなどの書き込み可能な不揮発性メモリが有利に適用される。
【００２３】
ドアロック機構206は、ドア12に備えられてドア12を施錠し、ベースバンド回路204から解除信号が供給されると、ドア12の開閉が可能となるようにその施錠を解除する機構部である。本実施例では解除信号に応動して、たとえば設定に応じた数秒間ドアロックを解除させることができる。また、ドアロック機構206は、ドア12の開および閉が行われた後、所定時間後に自動的に施錠するオートロック機能を有している。
【００２４】
錠装置14は、一度登録および設定保存した鍵情報を再設定する再設定機能を有している。詳しくは、鍵装置14は、再度、接続端子312に接続線22を介して設定装置20を接続し、新たに使用しようとする他の鍵装置16に設定されている他のBluetoothアドレス(BD_ADDR)を登録する。また、PINコードについても、それまで使用していたコードとは異なる値に再設定することができる。なお、それまで登録および設定保存されていたBluetoothアドレスとPINコードとはメモリ208から消去するなどして利用不能な状態にする。これにより、万が一、鍵装置16を所有者が紛失した際に、錠装置14を交換しなくても鍵装置16の正当な所有者以外によるドアロックの解錠が防止されて、セキュリティが確保される。
【００２５】
次に鍵装置16の内部構成例を図３に示す。図示するように鍵装置16は、アンテナ300と、トランシーバ302と、ベースバンド回路304と、メモリ306と、入出力回路308とを備える近距離無線通信装置である。これら構成は、錠装置14内のアンテナ200と、トランシーバ202と、ベースバンド回路204と、メモリ308と、入出力回路210とほぼ同様の構成でよいので重複する部分の説明を省略し、とくに異なる部分について以下に説明する。鍵装置16はさらに、ドア12のロックを解錠するためのPage釦18と、Page釦18の押下を検出してオンするスイッチ310とを含み、スイッチ310が入出力回路308に接続されている。
【００２６】
鍵装置16側のベースバンド回路314に備えられた制御回路(CPU) 316は、スイッチ310のオン信号が入出力回路308を介してベースバンド回路304にて検出されることにより、Page釦18の押下操作を認識する機能を有し、そのオン信号に基づいて呼出(Page)動作（接続動作）の制御を開始する。鍵装置16における呼出(Page)動作は、鍵情報を鍵装置16から錠装置14に送信することにより錠装置14にて接続認証を成立させる。なお、Bluetoothコア314も図２に示したBluetoothコア214と同じ構成でよい。
【００２７】
初期設定時において設定装置20が接続端子312に接続され、入出力回路308に入力される錠装置14のBluetoothアドレス(BD_ADDR)と、互いに共通な値を有するPINコードとを含む鍵情報がそれぞれベースバンド回路304に供給されて、制御回路316は、これら鍵情報をメモリ306に格納させる。メモリ306は、メモリ208（図２）と同様に不揮発性メモリが有利に適用され、メモリ306には本鍵装置16で解錠する錠装置14のBluetoothアドレスを格納する記憶領域と、互いの装置14,16にて共通に設定されるPINコードを格納する記憶領域とを有し、さらに、オン信号に応動して呼出(Page)動作を行うための手順を記述したプログラムが格納されている。
【００２８】
呼出(Page)動作（接続動作）の制御は、Page_Scanモードにて運用されている錠装置14の通信距離内にて、Page釦18の押下状態が検出されると、鍵装置16は、自装置に設定されているBluetoothアドレス(BD_ADDR)を送出するともに、錠装置14から送出されるBluetoothアドレスがメモリ306に保存されているアドレスに一致するか否かを確認して、一致するとメモリ306に保存してあるPINコードを送出する。この結果、錠装置14にて接続認証が成立すると、たとえば鍵装置16がマスタになり錠装置14がスレーブとなってピコネットを形成する。
【００２９】
以上のような構成で、本実施例における鍵システム10の動作を図４に示した動作手順図を参照しながら以下に説明する。まず、ステップS410およびS420において、初期設定が行われる錠装置14および鍵装置16の接続端子212,312には設定装置20がそれぞれ接続される。設定装置20は、錠装置14および鍵装置16のBluetoothアドレス(BD_ADDR)をそれぞれ接続線22,24を介して取得する。設定装置20は、錠装置14および鍵装置16のお互いのBluetoothアドレスをそれぞれ接続線24,22を介して鍵装置16および錠装置14に出力する登録操作を行う。錠装置14および鍵装置16は、設定装置20から送られるBluetoothアドレスを入力してメモリ208,306に登録する。次いでステップS412,S422にそれぞれ進み、設定装置20は、一組の錠装置14および鍵装置16に対して同一のPINコードを設定する。錠装置14および鍵装置16の各メモリ208,306には、既に格納されているお互いのBluetoothアドレスに対応してそれぞれPINコードが保存される。
【００３０】
このようにして初期設定が完了すると、設定装置20はそれぞれ錠装置14および鍵装置16から取り外されて有線接続が解除され、錠装置14および鍵装置16は錠および鍵としての運用が開始される。
【００３１】
まず、ステップS430において錠装置14は、接続相手のBluetoothアドレス(BD_ADDR)を自装置14のメモリ208に登録されているBluetoothアドレスに限定したPage_Scanモードに設定される。Page_Scanモードでは、錠装置14はスレーブ状態となって、鍵装置16から送信される情報を受信するための受信待機となり、マスタから送信される信号を特定の呼出スキャン周期にてスキャンする。
【００３２】
ここで、ステップS432において、鍵装置16のPage釦18が押下されると、固有のBluetoothアドレスとPINコードとが暗号化されて鍵情報として鍵装置16から送信される。この鍵情報が錠装置14にて受信されると、ステップS434において錠装置14は、受信して解読されたBluetoothアドレスがメモリ208に登録されているアドレスに一致するか否かが判定される。一致する場合には、受信して解読されたPINコードがメモリ208に保存してあるPINコードと一致するか否かがさらに判定される。これら受信した鍵情報がメモリ208内の記憶情報に一致すると接続認証が成立したものと判定し、ステップS436に進む。なお、接続認証が成立しない場合には、鍵装置14は、引き続きPage_Scanモードを継続する。
【００３３】
ステップS436では、ロック解除を行うための解除信号が生成され、解除信号がドアロック機構206に出力されることにより、ロックが解錠される。ドアロック機構206では、所定の時間ドア12の施錠を解除し、その期間のドア12の開閉を可能とする。次いでステップS434では、錠装置14と鍵装置16との通信リンクが継続または切断に制御される。次にステップS440に進むと、ドア12の開閉が行われた後の所定時間経過後には、ドアロック機構206は自動的にドア12を施錠する。以上のようにして、BluetoothアドレスとPINコードとを含む鍵情報による接続認証に応じたドアロックの解錠を行うことができる。
【００３４】
次に、図５を参照すると鍵システムの他の実施例が示されている。本実施例における鍵システム500は、鍵装置16に備えられているPage釦18を廃した鍵装置510により、釦への押下操作なしにてドア12を解錠可能に構成した点で図１に示した鍵システム10と異なり、その他の点については鍵システム10とほぼ同様の構成である。
【００３５】
図６に示すように鍵装置510は、図３に示した鍵装置16と同様に、アンテナ300と、トランシーバ302と、ベースバンド回路304と、入出力回路308とを備える近距離無線通信装置である。これら構成は、図３に同じ参照符号で示された構成と同様の構成でよい。ベースバンド回路304に接続されたメモリ520は、メモリ306（図３）と同様に不揮発性メモリが有利に適用され、メモリ520には本鍵装置510に対応する錠装置14のBluetoothアドレス(BD_ADDR)を格納する記憶領域と、互いの装置にて共通に設定されるPINコードを格納する記憶領域とを有する。また、本実施例では、自動呼出(Page)動作を行うための手順情報がメモリ520に格納されて、制御回路(CPU) 316は、その自動呼出(Page)動作手順に従って錠装置14に対する自動接続動作を制御する。以上の構成により、本実施例における鍵装置510は、図１に示したようなPage釦18を備えていないが、鍵装置510の電源がオンされると自動的に呼出(Page)動作を開始するように構成される。
【００３６】
また、ドア12に設置される錠装置14は、解錠後の鍵装置510との通信リンクを継続させることにより、錠装置14がPage_Scanモードに復帰しないように制御される。つまり本実施例における錠装置14内の制御回路316（図３）は、ロック解除後の通信リンクは継続する制御を行う。この構成により、リンク切断および再接続によって解錠動作が繰り返されることが防止される。
【００３７】
以上の構成で、本実施例における鍵システム500の動作を図７を参照して説明する。なお同図には図４で説明した動作と同様の動作ブロックについて同じ参照符号を付している。図示するように、錠装置14ではステップS410,S412にてBluetoothアドレスとPINコードとがそれぞれ登録および設定保存される。鍵装置510側でも設定装置20が接続されて、BluetoothアドレスとPINコードとがそれぞれ登録および設定保存される（ステップS420,S422）。これら初期設定が完了すると、設定装置20はそれぞれ錠装置14および鍵装置510から取り外されて、鍵システムの通常運用が開始される。
【００３８】
一方の錠装置14では、ステップS430に示すようにPage_Scanモードが開始される。他方の鍵装置510は、自動呼出(Page)動作が開始される（ステップS700）。
【００３９】
ここで鍵装置510が、錠装置14との通信が正常に行われる通信エリア内に移動し、錠装置14から送信されたBluetoothアドレスが鍵装置510にて受信されると、鍵装置510はこれを認識し、ステップS700において自動呼出し(Page)動作が開始される。この自動呼出し(Page)動作（接続動作）の制御は、Page_Scanモードにて運用されている錠装置14の通信距離内に錠装置510が入ると、鍵装置510は、錠装置14から送出されるBluetoothアドレスを受信し、このアドレスが自装置510内のメモリ520に設定されているBluetoothアドレスに一致するか否かを確認して、一致するとメモリ520に保存してあるPINコードを送出する。この結果、ステップS434において錠装置14にて接続認証が成立すると、たとえば鍵装置16がマスタになり錠装置14がスレーブとなってピコネットを形成する。
【００４０】
接続認証が成立するとステップS436に進み、錠装置14内の制御回路214（図２）からドアロック機構206（図２）に対し解除信号が出力されてドア12の解錠が行われる。続くステップS710では、錠装置14と鍵装置510との通信リンクが継続される。
【００４１】
以上説明したように利用者は、鍵装置510を携行してドア12に接近し、錠装置14との通信エリア内に入るとドア12の解錠を行うことができる。この場合、室内に入室後には鍵装置510は、錠装置14との通信エリア内にて通信リンクを継続することにより、解錠動作が再び行われることが防止される。
【００４２】
上記図１および図５を参照して説明した鍵システム10,500は、たとえばホテルにおける客室ドアと、ホテルのフロントに設置したコンピュータ装置(PC)とにより、錠装置14の解錠のみならず、客室における在室または不在状況の把握管理に応用することができる。たとえば図８に示すように、鍵システム800は、図１に示した実施例と同様な構成であり、とくに鍵装置14とコンピュータ装置(PC) 810とがLANケーブル812およびインタフェース（不図示）等により有線接続されて、コンピュータ装置810がホテルのフロント814等の管理室に設置されている点で異なる。
【００４３】
コンピュータ装置810は、図１に示した設定装置20と同様の機能構成を有するとともに、コンピュータ装置810にはさらに、錠装置14からの情報に基づいて在室および不在を管理する管理プログラムが導入されている。
【００４４】
この鍵システム800の動作は、図９に示すように、ステップS410〜S436は図１に示した鍵システム10の動作と同様の動作でよい。錠装置14の解錠後に、鍵装置16が客室ドア12内に入室した後、錠装置14と鍵装置16との通信リンクが通信エリア内にて継続される（ステップS900）とともに、この状態を状態通知信号にてコンピュータ装置810に通知する。コンピュータ装置810では、この状態通知信号を受信して錠装置14と鍵装置16とのリンク状態が継続していることを認識し、たとえば在室であると判断して居室の利用状況を管理する（ステップS910）ことができる。
【００４５】
なお、鍵装置16への鍵情報の設定処理は、たとえば、宿泊客のチェックイン時にコンピュータ装置810を鍵装置16に有線接続して行うことができ、このとき錠装置14に対する鍵情報の設定をフロント814にて行うことができるから、たとえば鍵装置16の受け渡しごとに、PINコードを変更して各装置14,16にそれぞれ登録することができる。これにより同一居室の錠装置14および鍵装置16に対して、同一のPINコードを複数の宿泊客について共用して使用することを防止することができる。
【００４６】
上記説明では鍵装置16を図１に示した鍵システム10を前提として説明したがこれに限らず、たとえば、図５に示した鍵システム500に適用し、Page釦18なしで自動呼び出し動作により運用することも可能である。
【００４７】
次に、鍵システムの他の実施例を図10を参照して説明すると、本実施例における鍵システム1000は、図１に示した構成に加えて、さらにアプリケーションプログラムが搭載された連携装置910との連動制御が行われる構成である。
【００４８】
連携装置910には、錠装置14とほぼ同様の構成が備えられているが、ドアロック機構296（図２）に代えて、図11に示すように回路スイッチ920がベースバンド回路204に接続されている。回路スイッチ920は、居室内のたとえば照明や空調等の電源をベースバンド回路204からの制御信号に応動してオン／オフする機能を有し、錠装置14と鍵装置16との通信リンクが継続されている場合に、電源オンに制御し、一定距離以上の距離（Bluetoothの無線通信限界点）離れて通信リンクが切断されると電源をオフに制御する。本実施例では、錠装置14と鍵装置16との通信リンクの接続および切断に応じて錠装置14がリンク接続情報またはリンク切断情報を連携装置910に送信して、連携装置910に対する制御を行う。しかしこれに限らず、連携装置910は、鍵装置16との通信リンクの接続および切断に応じて電源等の制御を行う構成としてもよい。リンク切断情報を受信した連携装置910は、リンク切断情報に応動して他のアプリケーションを起動するか、または、これまで実行されていたアプリケーションによる動作を終了させる。
【００４９】
このような構成により、鍵装置16が在室して錠装置14（連携装置910）との通信リンクが継続している場合に居室内の照明や空調等が自動的にオン状態に制御され、また、鍵装置16が室外に持ち出されて通信エリア外に移動し錠装置14との通信リンクが切断されると、ドア12がオートロック機能により最終的には施錠されるとともに、通信リンクが切断されることによりアプリケーションプログラムに従って、たとえば居室内の照明や空調等が自動的にオフ状態に制御される。なお、本実施例においても、図５に示した鍵システム500に連携装置910の機能を適用してもよい。なお、一般の住宅などでは、通信リンクの切断に応動して、電気の供給停止のみならず、ガスや水道などの元栓を遮断する電磁弁等の安全装置を制御する連携装置910を構成してもよい。また、窓の施錠や金庫のふたなどの施錠を自動的に行う安全装置として連携装置910が形成されていてもよい。また、一般家電製品等の電気設備に連携装置910を組み込み、家電製品の動作を制御するように構成してもよい。
【００５０】
以上説明した構成により利用者が入室後に必要な動作が連携装置910により自動的に行われるとともに、部屋から退出する際に、施錠や各種の安全確認等を意識していなくても施錠が自動実行され、またアプリケーションによって安全性の方向に制御されるので、万が一、安全確認を退出時にし忘れたとしても自動的に安全性が確保される。この結果、外出した後に出先で無用な心配を起こす必要がなくなるという効果もある。
【００５１】
なお、錠装置14を自動車のドアのロックに適用し、連携装置910を自動車のたとえばエンジンスタータとして構成することにより、ドアロックの解除とともにエンジンを始動させる構成とすることができる。また、以上説明した各実施例は、Bluetooh無線通信技術とは異なる他の無線通信装置に組み込んで使用することができる。上記説明した各鍵システムにおける鍵装置をたとえば携帯電話端末装置に組み込んで、所持し携行することができる。また、鍵装置を組み込む装置は、電子手帳や腕時計などのように普段携行する電子装置などであってよい。この場合、鍵装置は、PCカードやその他小型カードなどのようにカード形状に形成し、たとえばPDA(Personal Digital Assistants)等の情報端末装置のカードスロットに装着して使用することができる。また、上記各実施例では、近距離無線通信技術としてBluetooth技術仕様を鍵システムに適用した。しかしこれに限らず、無線通信端末ごとに固有なアドレスが設定される他の近距離用無線通信技術を適用してもよい。このように、各実施例では機器に固有のアドレスを互いに設定し、さらに共通コードを双方の装置に設定可能なシステムにより、接続認証による強固なセキュリティが確保される。
【図面の簡単な説明】
【００５２】
【図１】本発明が適用された鍵システムの一実施例を示すシステム構成図である。
【図２】錠装置の構成例を示すブロック図である。
【図３】鍵装置の構成例を示すブロック図である。
【図４】鍵システムの動作手順を示す図である。
【図５】鍵システムの他の実施例を示すシステム構成図である。
【図６】図５に示した鍵システムにおける鍵装置の構成例を示すブロック図である。
【図７】図５に示した鍵システムの動作手順を示す図である。
【図８】鍵システムの他の構成例を示すシステム構成図である。
【図９】図８に示した鍵システムの動作手順を示す図である。
【図１０】鍵システムのさらに他の実施例を示すシステム構成図である。
【図１１】図１０に示した鍵システムにおける連携装置の構成例を示すブロック図である。
【符号の説明】
【００５３】
10  鍵システム
12  ドア
14  錠装置
16  鍵装置
18  Page釦
20  設定装置
【図１】
2005240492.tif 000003
【図２】
2005240492.tif 000004
【図３】
2005240492.tif 000005
【図４】
2005240492.tif 000006
【図５】
2005240492.tif 000007
【図６】
2005240492.tif 000008
【図７】
2005240492.tif 000009
【図８】
2005240492.tif 000010
【図９】
2005240492.tif 000011
【図１０】
2005240492.tif 000012
【図１１】
2005240492.tif 000013